(57)【要約】      （修正有）【課題】文字データに基づく数多くの文字を限られた広さの表示面に表示させると各文字が小さく読み取り難くなったり局部的に陰に隠れて読めない場合であっても、文字データの内容の知覚が確実に可能で且つ装置の構成が簡便でコンパクトである文字データ表示装置を提供する。【解決手段】文字データ記録装置１は、文字データを入力する際に文を任意構成の複数の一纏まりの文字群の連続となって出力させるための文字データ入力手段２１を備えて構成し、文字データ記録装置１から複数の一纏まりの文字群の連続となる文字データを文字データ表示装置２が入力すると、制御手段９が、前記文字データを前記一纏まりの文字群ずつ連続して音声と文字が対応して出力させるように制御を行う。【選択図】図１
2007140671.tif 000002
【特許請求の範囲】
【請求項１】
文字データを入力するための入力手段と、その入力手段からの文字データの信号を記録媒体に書き込む記録手段と、前記入力手段によって文字データが入力される際に、その文字データに係る連続する文字と文字の間に特定の記号が介在入力されると、その二つの特定の記号によって挟まれた文字のグループを一つの文字群として記録媒体に記録されるように制御する制御手段が備えられてなる文字データ記録装置。
【請求項２】
文字データに係る連続する文字群において、互いに隣り合う文字と文字の間に介在される特定の記号が、スペース又は読点である請求項１に記載の文字データ記録装置。
【請求項３】
入力される文字データを音声で出力するための信号に変換する辞書データメモリを備えてなる請求項１に記載の文字データ記録装置。
【請求項４】
複数の文字が連続して構成されてなる文に係る文字データに基づき、文字を用いて表現された文全体若しくはダミー図形を用いて表現された文全体を表示する表示手段と、前記文字データに基づいて、その文字内容を音声で出力する音声出力手段と、文の途中に区切りを示す印が介在されている文に係る文字データが入力されると、前記音声出力手段には、その文字データに基づいて、区切りを示す印と次に出て来る区切りを示す印で挟まれた文字若しくは文字群を一纏まりとして音声で出力させるように、且つ、前記表示手段には、前記音声出力手段が出力している文字若しくは文字群の位置を表示するように、それぞれを制御する制御手段が備えられてなる文字データ表示装置。
【発明の詳細な説明】
【技術分野】
【０００１】
この発明は、例えばファイルに付すファイルネームといった文字データを記録する文字データ記録装置、及び、その記録された文字データを再生して表示する文字データ表示装置に関する。
特に、一の文字データに係る文字の数が多く且つ表示を行う際にそれを表示する表示面が小さく、このために、各文字が小さく表示されて読み取り難い或いは読み取れないことに対する改良に関する。
【背景技術】
【０００２】
今日では、例えば半導体メモリといった記録媒体に、音声データ、映像データ、実験等によって得たデータ等、各種のデータを記録することが広く行われている。
他方、記録媒体はその記憶容量が急激に増加して来ており、一つの記録媒体に複数のデータを記録することが行われている。つまり、一つの記録媒体に、複数のファイルを作る使い方が行われている。  
【０００３】
ここで、一つの記録媒体に作られた各ファイルを特定可能とするために、付して使用するファイルネームの文字数は多いことになる。ファイルネームがより多くの文字で構成されいてると、他のファイルネームとの差異を示し易いからである。
このため、各ファイルネームをそれぞれ特定するために、各ファイルネームは文字数の多い長いものにならざるを得ない。
他方、当該ファイルが始めてのものにとっては、ファイルネームからファイルの内容を窺い知るためにも、ファイルネームの記述内容は多大になり、結果的に、ファイルネームの文字数を多くさせることになる。
【０００４】
具体的には、例えば、日本文字によってファイルネームを表示する場合には漢字かな混じりで百数十文字を使用し、欧米文字によってファイルネームを表示する場合には二百数十文字を使用する必要が生じることになる。
尚、ファイルネームを英数文字の略号によって表現して、文字数の少ないファイルネーム（文字データ）を作ることも可能である。そして、斯かる構成のファイルネームは、少ない文字数で多くのファイルを作成することが可能である。
【０００５】
しかしながら、英数文字で表現されたファイルネームでは、読み取る者にとってファイルネームは記号として受け取れ、そのファイルネームの中身であるファイルを伺い知ることはできない。殊に、例えば数多くのファイルが記録された記録媒体の中から特定のファイルを捜し出す場合には、ファイルネームによって求めるファイルを伺い知れることが望ましく、英数文字で表現されるファイルネームは使い勝手に欠けるという問題がある。
さて、或るファイルに対して漢字かな交じり文字で文字数が百数十文字のファイルネームを作成して記録するには、ファイルネームを記録するエリアの容量を増加させることによって可能になり、問題は生じない。
【０００６】
しかしながら、記録媒体からファイルネームのデータを読み出して表示手段で表示する際に、限られた広さの表示面に百数十文字のファイルネームを表示する場合では各文字の占める広さは小さくて各文字が小さく表示され、結果的にそのファイルネームは読み取り難い、或いは、読み取ることができないという問題が生じる。
複数の文字からなる文字群に係る文字データの情報に基づいて、当該文字群を表示面の広さが限られた表示手段に表示させた際に、表示面の広さに比して表示すべき文字の数が多く結果的に各文字が小さく表示されても、読み取りに支障を来さない技術として、以下の公報で開示されている。
【０００７】
【特許文献１】特開２００４−１２７０４５号公報
【発明の開示】
【発明が解決しようとする課題】
【０００８】
特開２００４−１２７０４５号公報において開示されている文字を読み取り易くするための構成として、表示面に表示されている文字列（文字群）の一部を拡大し残り部分はそのままの大きさで表示させ、且つ、その拡大表示される文字列の部分を文字列全体に対して頭部から尾部へとスライド可能な構成とし、表示面における表示が小さい文字であっても部分的に拡大させた文字列は読み取り易く、その拡大して読み取り易く表示した文字部分が移動するので文字列全体を読み取り易くさせる技術が示されている。
【０００９】
さて、特開２００４−１２７０４５号公報で開示の発明は、文字群の連続する一部を拡大表示し且つその拡大の表示部分を文字列の頭部から尾部まで連続してスライドさせることによって文字情報を連続的に読み取る構成であるが、殊に同公報の図１から覗い知れるように、表示面には拡大表示された文字と拡大されないままの文字が並んで表示されている。
つまり、特開２００４−１２７０４５号公報で開示の発明は、表示面が拡大される文字と拡大されないままの文字が並んで表示されるだけの広さを持っていることを前提とした技術思想であって、拡大される文字分の広さを見越した広さの使い方を行っている。
【００１０】
しかしながら、表示面の広さを十分に活用するために、文（文字列）を構成する全ての文字をそれぞれ可能な範囲で大きく表示し、且つ、その文字群の一部を拡大して表示する場合では、拡大表示した文字によってその近傍の文字が覆い隠されるということになる。
斯かる構成の表示では、拡大表示された文字の近傍の文字はその拡大表示の文字によって覆い隠されるので、拡大表示の文字が文字群全体においてどこに位置しているか、つまり文字群全体のどの部分を拡大表示しているかが判らず、結果的に、表示されている文字群の表示全体を読み取るのが煩雑になるという問題が生じる。
【００１１】
つまり、例えば、文字群の第三〜六番目の文字を拡大して表示している場合では、第一〜二番目の文字が第三番目以降の拡大された文字によって覆い隠され、恰も第三番目の文字が最初の文字のように見間違うという読み取り上の問題が生じ、文字群の全体を誤って読み取ることになる。
【００１２】
殊に、今日、携帯電話、携帯タイプの電気・電子機器等は、装置そのものに軽薄短小化が求められ、しかも、多機能性を有することが多い。この多機能性に対応して操作用の釦類が多くなり、それらの操作用の釦類によって装置本体の表面が大きく面積を占領され、各文字の表示がより大きくなるように表示面をより大きくしようとしても、所望通りに表示面を大きく形成することが難しいという問題がある。
従って、限られた面積の表示面に多くの文字を表示すると、各文字は小さく表示されることになって多くの文字からなる文字群を容易に読み取ることは難しいという問題があった。
【００１３】
尚、特開２００４−１２７０４５号公報の図１で開示の一部文字の拡大表示の例では、表示面に余裕があるので、拡大表示される文字が近傍の文字を覆い隠さずに表示が可能になっている。
しかし、例えば、携帯タイプの機器の表示面に百数十文字の漢字かな混じり文、或いは二百数十文字の欧英文字の文を表示するといった場合では、表示面の広さに比して文字数が絶対的に多く、各文字のサイズが絶対的に小さくなり、特開２００４−１２７０４５号公報の図１で示めされるような広さの余裕を取ることは不可能である。
よって、拡大された文字の位置を知ることはできないという問題は、そのまま残る。
【００１４】
そこで、文字データを視覚的に表示するのではなく、同じ文字データを視覚と異なる感覚器官によって知覚させるということから、音声で出力させて聴覚によって知覚して貰う方法が考えられる。ここで、文字データが音声によって出力されると、ユーザーはその音声から文字データの内容を知ることが可能である。
しかしながら、当該文字データを音声によって知覚はできるが、その音声を出力している際、音声出力されている部分が文字データの全体に対してどこに位置しているかが特定できないという問題が生じる。
【００１５】
つまり、例えば、互いに近似する複数の文字データを音声で聞き取る際、差異部分をより一層注意力を傾けて聞くとよいのだが、当該音声が出力されている際に差異部分が文字データ全体においてどこに位置するかが判らなければ、何度も同じ文字データに係る音声を聞いてその文字データを知覚しなければならないという煩雑さの問題が生じる。
【００１６】
他方、合成音声の技術を用いて、文字データを音声によって出力させる際に、文字データのサイズが大きい、つまり、音声で出力させた際にその音の数が多い場合では、その音の数が多い音声を連続して、しかも抑揚がなく音声を出力させると、その文字データに係る出力音声を聞く者にとって、合成音声は話し言葉と異なるので、聞き取り難く、又、誤って聞き取るという問題がある。
【００１７】
文字データを音声に変換する技術として、特開２００５−２１５２８８号公報で開示された発明『音声合成装置および音声合成方法』が知られている。
同発明は、文字データに基づいて音声を出力する場合に、音声を作成するための音声データを少なく抑えることを目的として、テキストデータ用の解析辞書に記載されていない未知語については読みデータを取得し、モーラ数とアクセントの型を決定し、ここで決定したモーラ数とアクセントの型によって未知語の音声データを生成して音声で出力する構成になっている。
【００１８】
斯かる構成の音声合成装置および音声合成方法では、テキストデータ用の解析辞書に記載されていない未知語についても音声データを生成し、音声として出力することが可能になっていて、未知語の分だけテキストデータ用の解析辞書（記憶容量）が小さくて済んでいるという効果が得られている。
しかしながら、この発明では、テキストデータ用の解析辞書を備えている分、装置として大掛かりになっていると言える。
【００１９】
殊に、本願発明は、文字データの内容を知覚させ得るのに、装置が如何に簡便に構成できるかが重要な問題でもある。
詳述すると、この発明は、文字データが与えられた際に、本来であれば表示面上に表示したものによって文字データに係る複数の文字（文）の全てが読み取って知覚されるべきであるが、表示面の大きさに比して文字数が多過ぎて、結果的に、その表示面上に表示される各文字の大きさが読み取るのに小さいという問題から出発している。従って、装置が大掛かりになれば、通常、その装置の大きさも大きくなり、このことに伴ってその装置の外面に配設する表示面も大きくさせることが可能になり、問題は別の方向から解決することなる。
【００２０】
又、文字データ表示装置は、そのもの単独で使用されるというよりも、特開２００４−１２７０４５号公報で開示の発明にもあるように、文字データ表示装置が単体で使用されることは少なく、他の装置と一体になったり別体であっても他の装置と関連させて使用される場合が多く考えられる。
斯かる事情から、文字データ表示装置は、簡便な構成であってコンパクトであることが望ましい。
【００２１】
この発明は、上記の事情に鑑みてなされたものであって、文字データが与えられてその文字データの内容を知覚させる際に、文字データに係る複数の文字群からなる文を限られた広さの表示面に表示すると、各文字の占める面積の広さが小さくて各文字の読み取りがし難い或いは読み取りができない場合であっても、その文字データを確実に知覚でき、且つ、文字データの知覚している文字群の文全体に対する位置を知ることが可能であり、しかも、装置の構成が簡便でコンパクトである文字データ表示装置を提供するである。
【課題を解決するための手段】
【００２２】
本願発明の発明者は、上述した諸問題に対して創意工夫を重ね、文字データの表示を文字データの入力の時点まで遡ることにより、発明の完成に到った。
つまり、会話や放送での話し言葉における音声は、音、強弱、抑揚、長短等の発音を構成する要素が一体として出力されている。しかしながら、文字データに対してそれらの要素に対応する辞書（音声データベース）を用意するとなれば、装置自体が極めて大掛かりで、文字データの処理も煩雑なものになるという問題が考えられる。
【００２３】
そこで、出力音声を聞き取る者の側にとって、通常の話し言葉ほどに自然ではないが、確実に聞き取ることができる最少の要素についてのみが出力されることを考えた。このことによって、文字データを音声で出力するための辞書を簡便にさせ、且つ、文字データに係る信号処理も簡単になっている。
具体的には、文字データに基づいて音だけを出力し、発音の際に強弱、抑揚、長短等の要素を伴わずに音声の出力を行わせる構成を考えた。
【００２４】
しかしながら、出力される音声が斯かる構成であって、強弱、抑揚、長短等を有しないものであれば、例えば音声出力される言葉や文において区切りが判別できず、誤って受け取られる虞がある。
つまり、例えば、元々が『二つに折り手首に掛かる大きさ』という文字情報が文字データとして入力され、その文字データが所定の信号処理を受けて音声出力された際、出力音声をカタカナ表記すると「フタツニオリテクビニカカルオオキサ」となる。
だが、このカタカナ表記された語に、強弱、抑揚、長短等の発音を特徴付ける要素が伴わないで音声が出力されると、この音声は、『二つに折りて首に掛かる大きさ』と『二つに折り手首に掛かる大きさ』の二通りに受け取られることが生じ得る。
【００２５】
これは、音声が、単に音のみならず、強弱、抑揚、長短等の要素が同時に一体となって出力（表出）されることによって、その出力の音声の元となっている文字データの持つ意味も表現され、結果的に、聞く者にその意味を想起させるように伝わることになる。
従って、文字データに基づいて音声を出力する際には、記述したように、音声データベースの辞書が簡単であるほど望ましいが、当該音声データの持つ意味を表現させ得る音声の出力である必要がある。
【００２６】
ここで、この発明の発明者は、当該音声データの持つ意味が誤って受け取られないように、文字データが日本語であれば例えば文節毎に区切って音声を出力させ、文字データが英語であれば、単語、句、節毎に区切って音声の出力を行わせることで、文字群（文）の構造に誤解が生じないようにすることに想到した。
具体的には、文字情報を元に文字データを作成する際に、その文字データに区切りを示す印を挿入し、音声出力の際にその印があればそこで連続している音声出力に切れ目が入り、正確に述べると、区切りの印と印で挟まれた部分を、日本語では文節として扱い、英語では単語、句、節として扱って、区切って音声出力させることを考えた。
【００２７】
この発明の詳細な構成の第一は、文字データを入力するための入力手段と、その入力手段からの文字データの信号を記録媒体に書き込む記録手段と、前記入力手段によって文字データが入力される際に、その文字データに係る連続する文字と文字の間に特定の記号が介在入力されると、その二つの特定の記号によって挟まれた文字のグループを一つの文字群として記録媒体に記録されるように制御する制御手段が備えられてなる文字データ記録装置である。
【００２８】
ここで、文字データに係る連続する文字群において、互いに隣り合う文字と文字の間に介在される特定の記号とは、文字データに係る文字群全体からなる文において、日本語であれば、文節として区切ることによって、音声出力する際に音に強弱や高低がなくとも文全体が間違いなくその文字、語、文節であると受け取らせるためのものである。
尚、特定の記号として、具体的に、入力の操作が簡単であること、文節を作る際に通常行う表記の仕方に準じて入力操作に違和感がないこと等により、スペース又は読点が挙げられる。
又、特定の記号は、上述の文節として区切るためのものであるから、文字データの頭部では１番目の特定の記号までで一つの区切りが構成され、文字データの尾部では最後に位置する特定の記号から末尾までで一つの区切りが構成されることになる。
【００２９】
他方、欧米語における特定の記号とは、単語、句、節として区切ることによって、音声出力する際に音に強弱や高低がなくとも文全体が間違いなくその文字、語、文節であると受け取らせるためのものである。
従って、特定の記号を介在させる位置は、区切られて得られるが単語、句、節のいずれであっても、音声出力された際に文全体の意味が間違わずに受け取られる区切り方であることが必要であり、文字データを入力する際にユーザーが適宜判断して特定の記号を介在させることが必要である。
尚、欧米語において単語の並びが同じであっても音声で出力する際の区切り方によって意味が異なる例として、英語、仏語等における関係代名詞及び関係副詞の限定用法と継続用法との差異が挙げられる。他方、独語は、英語、仏語等における関係代名詞及び関係副詞の限定用法と継続用法に対応する表記上の差異はない。
【００３０】
この発明の詳細な構成の第二は、複数の文字が連続して構成されてなる文に係る文字データに基づき、文字を用いて表現された文全体若しくはダミー図形を用いて表現された文全体を表示する表示手段と、前記文字データに基づいて、その文字内容を音声で出力する音声出力手段と、文の途中に区切りを示す印が介在されている文に係る文字データが入力されると、前記音声出力手段には、その文字データに基づいて、区切りを示す印と次に出て来る区切りを示す印で挟まれた文字若しくは文字群を一纏まりとして音声で出力させるように、且つ、前記表示手段には、前記音声出力手段が出力している文字若しくは文字群の位置を表示するように、それぞれを制御する制御手段が備えられてなる文字データ表示装置である。
【００３１】
文字データ表示装置は、斯かる構成であることより、文の途中に区切りを示す印が介在されている文に係る文字データが入力されると、音声出力手段から区切りを示す印によって一纏まりになっている文字若しくは文字群が音声で出力される。
この音声の出力があった際、表示手段は、出力されている音声の位置を表示する。
又、表示手段に表示されるダミー図形とは、表示面の広さの制約によって文字データに係る文字を全て表示しようとすると、各文字が小さく表示されて、例え表示されても読み取ることが難しい場合に対して、その表示すべき文字、文節等の存在を図形を用いて代わりに示すものを言う。
尚、ダミー図形は具体的に、○印、△印、☆印、□印及び▽印等が挙げられる。
【発明の効果】
【００３２】
第一の発明は、文字データを打ち込む際に、連続する文字によって任意の文字群を構成するための特定の記号を当該文字データに係る文に挿入すると、前記特定記号を含んだ文字データとなって記録されるので、斯かる記録された文字データを表示する際には、前記特定の記号によって区切られた文字群として出力させる文字データ記録装置である。
【００３３】
第二の発明は、表示対象の文字データを文字群に区切る特定の記号を含まれている場合には、前記文字群毎に文字表示及びそれに対応する音声の出力が行われる構成であることにより、音声は文字群毎に出力されるのでその音声に話し言葉における抑揚、強弱、長短等が伴わなくとも文字データの内容が誤って聞き取られることがなく、音声を出力する手段の構成が簡便で済み、又、文字データの表示位置を確実に追うことが可能な文字データ表示装置である。
【発明を実施するための最良の形態】
【００３４】
この発明を、図面に示す最良の形態に基づき説明する。しかし、この形態によって、この発明が限定されるものではない。
文字データ記録装置１及び文字データ表示装置２は、図面に示すように、音声データの記録及び再生を行う記録・再生装置３に組み込まれて備えられている。
【００３５】
記録・再生装置３は、文字データ記録装置１及び文字データ表示装置２と、マイクロホン４と、アンプ５と、Ａ／Ｄ変換器６と、デジタル信号プロセッサ７（以下、ＤＳＰ７と称する）と、バッファメモリ８と、制御手段９と、操作手段１０と、文字データ表示装置２と、Ｄ／Ａ変換器１１と、アンプ１２と、スピーカ１３を備えて構成されている。
【００３６】
記録・再生装置３は、文字データ記録装置１と、マイクロホン４と、アンプ５と、Ａ／Ｄ変換器６と、ＤＳＰ７と、バッファメモリ８及び制御手段９から主に構成されてマイクロホン４からの音声を記録媒体１７にディジタル信号で記録する記録機能と、文字データ表示装置２と、バッファメモリ８と、ＤＳＰ７と、制御手段９と、Ｄ／Ａ変換器１１と、アンプ１２及びスピーカ１３から主に構成されて記録媒体１７に記録されているディジタル信号を再生してスピーカ１３から音声で出力する再生機能が備えられている。
【００３７】
尚、Ａ／Ｄ変換器６とＤＳＰ７の間、及び、ＤＳＰ７とＤ／Ａ変換器１１の間には、データを送るためのバス１４が介在されている。
同様に、ＤＳＰ７とバッファメモリ８の間にはデータを送るためのバス１５が、ＤＳＰ７と制御手段９の間にはデータを送るためのバス１６が、それぞれ介在されている。  
又、１７はデータを蓄えるための記録媒体であって、具体的には半導体メモリである。
バッファメモリ８と記録媒体１７の間には、データを送るためのバス１８が介在されている。
【００３８】
文字データ記録装置１は、入力手段と、記録手段であるＤＳＰ７及び制御手段９が備えられている。
前記入力手段は、文字データを入力するためのものであり、具体的には操作手段１０である。この入力手段は、より具体的には、記録・再生装置３の装置本体２０の上部に配設された文字データ入力手段２１から主に構成されている。
文字データ入力手段２１は、文字を入力する文字入力キー群２２と、入力した文字の記録や消去の確定を行う確定釦群２３が備えられている。
【００３９】
文字データ記録装置１における記録手段としてのＤＳＰ７は、文字データ入力手段２１が機能すると、つまり、文字入力キー群２２及び操作釦群２３を操作すると、この操作によって文字データを受けて、バッファメモリ８を介して記録媒体１７にその文字情報を書き込む（記録）ように機能するものである。
文字データ記録装置１における制御手段９は、ＤＳＰ７によって文字データが入力されている際に、その文字データの連続する文字と文字の間に区切りのための特定の記号、具体的にはスペース、読点、句点等が介在入力されると、連続する二つのスペース、読点、句点等によって挟まれた文字のグループを一つの文字群として記録媒体１７に記録するようにＤＳＰ７を制御するものである。
【００４０】
尚、文字データ記録装置１に係るスペース、読点、句点等の記号は、語、文節等に区切るためのものであるから明らかに、文字データの頭部では最初に出て来るスペース、読点又は句点までで一つの区切りが構成され、文字データの尾部では最後に出て来るスペース、読点又は句点までで一つの区切りが構成されることになる。
又、文字データ記録装置１において、記録前の入力した文字データに係る文字は、後で詳述する液晶表示手段２４で表示することにより、その内容を確認することが可能な構成になっている。
【００４１】
液晶表示手段２４は、電気を印加すると、マトリックス状にドットが配列されており、背光がそのドットから通過してくるか遮断されるかの表示機能若しくはシャッタ機能を奏して、結果的に、所望の文字を所望の大きさで表示するものである。
文字データ表示装置２は、入力された文字データに対して、その文字データに係る文字を音声で出力し、且つ、その音声出力に係る文字の文字データ全体に対する位置を視覚的に表示するものである。
【００４２】
文字データ表示装置２における文字データに係る信号に基づいて音声で出力する手段は、具体的に、ＤＳＰ７と、制御手段９と、辞書データメモリ２５と、メモリ手段２６と、Ｄ／Ａ変換器１１と、アンプ１２及びスピーカ１３から主に構成されている。
ここで、文字データ表示手段２の上記音声を出力する手段における制御手段９は、入力される文字データの中にスペース、読点又は句点を示すデータがあれば、連続する二つのスペース、読点又は句点によって挟まれた文字のグループを一つの文字群と判断して文字群ごとに区切った音声で出力させる制御を行うものである。
【００４３】
制御手段９は、上述したように、文字データの頭部では１番目のスペース、読点又は句胆までで一つの区切りを、文字データの尾部では最後に位置するスペース、読点又は句点から末尾までで一つの区切りをそれぞれ構成するように制御を行う。
尚、辞書データメモリ２５は、メモリ手段２６からの文字データに係る信号が制御手段９を介してＤＳＰ７に送り込まれると、ＤＳＰ７とその文字データの信号を受けてその文字データの信号と合致する音声を示すデータをＤＳＰ７に送るものである。従って、ＤＳＰ７は、文字データの信号に係る音声信号をバス１４に送ることになる。
【００４４】
又、文字データ記録装置１におけるメモリ手段２６は、記録すべき文字データを一時的に格納し、文字入力キー群２２で打ち込んだ文字データが意図した通りに正しく打ち込まれているか否かを液晶表示手段２４で表示させて確認する際に使用するものである。
他方、文字データ表示手段２におけるメモリ手段２６は、液晶表示手段２４においての文字若しくはダミー図形の表示及びスピーカ１３からの音声の出力を行う際に、当該文字データを一時的に格納しておくためのものである。
【００４５】
文字データ表示手段２において、文字データに基づいて音声が出力される際にその出力されている音声の文字の文字群全体に対する位置を示す手段は、具体的に、ＤＳＰ７と、制御手段９と、メモリ手段２６と、ドライバ２７及び液晶表示手段２４から主に構成されている。
ここで、文字データ表示手段２の上記出力の音声における制御手段９は、メモリ手段２６から文字データを読み出し、その文字データの頭部から尾部に向かって文字群ごとに音声の出力とその出力される音声に係る文字に対応して、ドライバ２７に他の文字とは異なった色で点灯させるように制御信号を出力するものである。
【００４６】
尚、ドライバ２７は、制御手段９からの制御信号に基づいて、液晶表示手段２４の前記マトリックス状のドットに係る電極にシャッタ機能を奏するように電圧の印加をドライブするものである。
又、制御手段９は、文字データに基づいて表示すべき文字の数が液晶表示手段２４の表示面の広さに比して多過ぎて、各文字が見え難いほどに小さいと判断した場合は、表示しようとする文字に変えてダミーとなる図形で表示するように制御を行う。
【００４７】
文字又は文節をその代わりにダミーの図形で表示することによって、特に画数の多かったり、近似する文字が多い漢字の場合では、ユーザーにとって文字で表示するよりもダミーの図形の方が内容の把握がより簡単で確実である。
ダミーの図形としては、具体的に、○、△、□、☆、▽などが挙げられる。
又、制御手段９が文字データに係る文字を液晶表示手段２４に文字で表示するか又はダミーの図形を使って表示するかは、当該表示面の広さと文字の数とユーザーの読み取り能力によって決まるが、ユーザーが操作手段１０によって制御手段９を任意に設定可能な構成になっている。
【００４８】
文字データ記録装置１、文字データ表示装置２及び記録・再生装置３は、上述したように構成されている。以下において、各装置の作動を説明する。
ユーザーは、長野県岡谷市の冬鳥の越冬地の餌場を訪れて、冬鳥の鳴き声を記録（音声ロクオン）する。
ユーザーは、記録・再生装置３の装置本体２０の側部に枢支させた蓋体２８を開け（矢印Ａ方向）、記録媒体１７を記録・再生装置３の内部の所定位置に装着し、蓋体を閉じる（矢印Ｂ方向）。
【００４９】
次に、操作手段１０を操作してメインスイッチをＯＮにし、続いて、文字データ記録装置１を作動させて「越冬地の冬鳥」という仮のファイルネームを作成し、今回の冬鳥の鳴き声の録音データを記録するファイルを作る。
ここで、今回の冬鳥の鳴き声の録音を行うことに対してスタンバイ状態になる。
尚、文字データ記録装置１を用いて上述の仮のファイルネームを作成する説明、つまり文字データ記録装置１の機能の説明は、後に詳述する。
【００５０】
ユーザーは、その訪ねた餌場に５０〜６０羽の鴨が群になって集まっていることに気付き、その鴨の群の方向に記録・再生装置３のマイクロホン４を向け、操作手段１０を操作して前記鴨の鳴き声『ガー、ガー、ガー』の録音（音声の記録）を行う。
ここで、マイクロホン４は、録音対象である前記鴨の鳴き声をピックアップしてアナログの電気信号に変換し、その電気信号をアンプ５に送る。
【００５１】
アンプ５は、マイクロホン４からの前記鴨の鳴き声に対応する音声データを示すアナログ信号を受け取ると、所望の大きさのボリュームに加工してＡ／Ｄ変換器６に送る。
Ａ／Ｄ変換器６は、アンプ５からのボリュームが所望の大きさに増幅されたアナログ信号を入力すると、デジタル信号に変換してバス１４を介してＤＳＰ７に送る。
ＤＳＰ７は、ここでは記録手段として機能し、バス１４からの前記鴨の鳴き声を示すディジタル信号をバッファメモリ８を介して記録媒体１７に記録する。
【００５２】
ここで、記録媒体１７のファイルネームが前記「越冬地の冬鳥」というファイルに、この鴨の鳴き声に係る音声データが記録される。
ユーザーは、この鴨の鳴き声を録音している際に、その鴨の鳴き声とは別の方角で比較的離れた場所に数羽の小白鳥が飛来していることに気付き、その鳴き声の録音を行うことにした。
そこで、ユーザーは操作手段１０によってポーズ機能を作用させて記録・再生装置３の録音機能を一時停止にし、前記小白鳥の居る場所が比較的遠くで鳴き声も小さく聞こえるので、マイクロホン４に代えて指向性の高い外付けマイクロホン（図示省略）を装置本体２０に接続する。
【００５３】
ここで、ユーザーは、前記外付けマイクロホンを前記小白鳥の方向に向け、記録・再生装置３の前記ポーズ機能を解除して、前記小白鳥の鳴き声『クァー、クァー、クァー』の記録を行う。
この時、記録・再生装置３の音声の記録の作動は、前記外付けマイクロホンが前記小白鳥の鳴き声（音声）を拾ってアナログの電気信号に変換してアンプ５に送るが、記録・再生装置３の機能は前記鴨の鳴き声を記録した時と音声データの記録の作動は実質的に同じである。
【００５４】
ユーザーは、続いて、これらの鴨と小白鳥の餌場になっていることから、雀が餌の落ちこぼれをついばみいに来ていることに気付いた。その雀は、季節の割には餌が多いためか思いの外に栄養状態が良く元気に囀っているので、その雀の囀りの音声『チュッ、チュッ、チュッ』も記録することにした。
そこで、ユーザーは、前記外付けマイクロホンをその雀の方向に向けて、前記鴨及び小白鳥の鳴き声の録音の時と同様に記録・再生装置３を操作して、記録媒体１７にこの雀の囀り声を記録した。
【００５５】
この時、ファイルネームが「越冬地の冬鳥」というファイルに、５０〜６０羽の鴨の鳴き声、十数羽の小白鳥の鳴き声、雀の囀りが音声データとして記録されている。
ここで、ユーザーは、ファイルネームが「越冬地の冬鳥」では、今後も同一若しくは近似するファイルネームを作る可能性があるので区別を付ける必要を感じて、又、ファイルネームからファイル（データ）の中身を幾らかでも伺い知るために、このファイルデータの内容を特徴付けて且つその内容が伺い知ることのできるものとして、文字入力キー群２２と確定釦群２３を用いて、「越冬地の冬鳥」を『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』に改めることにする。
【００５６】
そこで、ユーザーは文字データ入力手段２１を用いて、「越冬地の冬鳥」のファイルネームを新たなファイルネームに改める。
つまり、文字データ入力手段２１の文字入力キー群２２による文字入力及び確定釦群２３による確定によつて新たなファイルネームの『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』を文字入力する。
【００５７】
この時、作成中のファイルネームは、メモリ手段２６に一時格納されると共に、文字データに係る打ち込み中の文字が液晶表示手段２４に表示される。
ここで、ユーザーは、液晶表示手段２４の表示面から、自分の意図した通りに正しく文字が打ち込まれているか否かを知ることができる。
尚、文字データが大きなサイズになる、つまりファイルネームの文字の数が多い場合には、全体ではなく部分的に拡大して表示し、文字データの打ち込み内容を確認するのがよい。
【００５８】
ここで、ユーザーは、新たなファイルネームが『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』であって、漢字仮名交じりで百数十文字になっていることに気付き、この入力した状態の文字データを音声で再生すると、聞き取る者にとって誤解を生じさせる恐れがあることに気付いた。
【００５９】
そこで、ユーザーは、『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』を再生して音声で出力すると、対応する音声を片仮名表記した場合に、「ニセンゴネンジュウニガツジュウゴニチゴゼン、テンキハハレ、スワコノテンリュウガワノカコウカラトケイマワリデヒャクゴジュウメートルホドススンダチテンデノロクオン。ミズベデムレニナッテアツマッテイルゴジュウカラロクジュウハノカモノナキゴエ、エサバノフキンニアツマルジュウスウハノコハクチョウノナキゴエ、エサヲモトメテヤッテキタトオモワレルスズメノサエズリ。」となる。
この片仮名文字をその儘、抑揚、強弱、長短等を持たせない音声で出力すると、受け取る者にとって直ぐには理解できないであろうということから、再生時に文節等に区切った音声で出力させることを考える。
【００６０】
つまり、メモリ手段２６に一時記録されている『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』に対して、音声で出力する際に文節、単語群等で区切って一纏まりの音声にさせるための特定の記号であるスペースを入れる。
具体的には、文字データ入力手段２１の文字入力キー群２２及び確定釦群２３を操作して、前記のファイルネームにスペースを挿入する。
【００６１】
ここで、前記ファイルネームの表示は、スペースを○で表示すると、『２００４年１２月１５日午前、天気は○晴れ、諏訪湖の○天竜川の○河口から○時計回りで○１５０メートルほど進んだ地点での録音。水辺で○群になって○集まっている○５０〜６０羽の○鴨の鳴き声、餌場の付近に○集まる○十数羽の○小白鳥の鳴き声、餌を求めて○やって来た○と思われる○雀の囀り』になる。
【００６２】
但し、ユーザーが上記の文字の表記のようにファイルネームをアレンジして内容を確認した後は、読点や句点は表示されるが、スペースを示す「○」の含まないファイルネームとして切り替わって液晶表示手段２４の表示面に表示されるように構成されている。つまり、ユーザーにとっては、スペースを含まない表記の方が、本来表現したい内容だからである。
勿論、文字データ表示装置１は、操作手段１０を操作することによって、制御手段９が液晶表示手段２４によって表示されるファイルネームにスペース若しくはそれに該当する記号等を表示できるように切り替え可能な構成になっている。
【００６３】
ここで、文字データ表示手段１における制御手段９は、当該ファイルネームにスペースを示す記号が挿入されると、このことに基づいて当該ファイルネームは隣接するスペースによって挟まれた文字のグループを一纏まりの文字群ずつとして記録媒体１７に記録されるように制御を行う。
従って、記録媒体１７の当該ファイルのファイルネームのエリアには、斯かる状態でファイルネームは記録される。又、この状態において、当該ファイルネームの各一纏まりの文字群は入力されたと同じ順序でシーケンス的に呼び出される状態になっている。
【００６４】
ユーザーは、この越冬地の冬鳥の鳴き声を記録した後、諏訪湖の水辺沿いに、下諏訪での冬鳥の鳴き声、上諏訪での冬鳥の鳴き声、小坂での冬鳥の鳴き声をそれぞれ録音して回った。
ユーザーは、後に、記録媒体１７に他の音声、例えばライブ音楽、ＣＤからの音声、インターネットの音声のダウンロード等の記録を行った。
これらの鳴き声や音声の記録におけるファイルネームの作成は、上述した最初の岡谷市の餌場において越冬地の冬鳥のファイルネームの作成と同様にして行うことが可能であり、よって、ファイルネームの書き込み容量は漢字仮名混じる文では百数十文字、欧英文字では二百数十文字の表記が可能になつている。
【００６５】
この時、記録媒体１７は複数のファイル（音声のデータ）が記録された状態になっている。
ユーザーは、上記の最初に岡谷の餌場で記録した冬鳥の鳴き声の音声を再生したいと思い、記録・再生装置３を機能させて、記録媒体１７の再生を行おうとする。
しかしながら、記録媒体１７には複数のファイルが作られていて、しかも、ファイルネームが漢字仮名交じり文で百数十字と文字数が多く且つ液晶表示手段２４の表示面の大きさは一定であるので、ユーザーは、当該ファイルネームの文字を全てを前記表示面に表示すると、各文字が小さくて読み取り難いという問題があることに気付く。
【００６６】
ここで、ユーザーは、再生したいファイイルを捜し出すために（特定するために）、文字データ表示装置２を機能させる。
つまり、操作手段１０を操作して文字データ表示装置２を出力させると、制御手段９はＤＳＰ７にバッファメモリ８を介して記録媒体１７に記録されているファイルのファイルネームを読み出してメモリ手段２６に一時記録するように制御信号を送る。
ここで、ＤＳＰ７は記録媒体１７にから全てのファイルネームを読み出し、制御手段９を介してメモリ手段２６に送る。
【００６７】
ユーザーは、記録媒体１７に記録したファイルの順番を忘れていたので、一番目からファイルネームをチェックすることにして、ファイルネームに係る文字データの表示を作動させる。
但し、記録・再生装置３における文字データ表示装置２では、ユーザーが目的とするファイルがどの辺に記録されているかを既に知っていて、対応するファイルネームを確認しようとする等の場合では、そのファイルまで直接に飛び越しを行いチェックすることも可能である。
【００６８】
制御手段９は、メモリ手段２６から一番目の位置に記録されているファイルのファイルネーム（文字情報）を読み出し、そのファイルネームを液晶表示手段２４に表示させるように、ドライバに２７に制御信号を送る。
ここで、ドライバ２７からドライバ信号を受けて液晶表示手段２４の表示面には、上記ファイルネームに係る文字情報に基づいて『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』の表示が行われる。
【００６９】
制御手段９は続いて、メモリ手段２６から当該ファイルネームに係る文字情報をシーケンス的に読み出し、その文字データに係る信号と制御信号をドライバ２７とＤＳＰ７に同時に送る。
ここで、ドライバ２７は、制御手段９からの前記文字データに係る信号と制御信号に基づいて、前記文字データは順序が特定されて並べられているので、当該ファイルネームの文字を頭部から尾部に向かってシーケンス的に色違いで特定表示するように、液晶表示手段２４の表示状態をドライブする。
【００７０】
つまり、液晶表示手段２４の表示面には既に『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』の表示が行われているが、この文字群の頭部から尾部に向かって他と異なった色彩で移動、つまり、例えば、文字群の全てが最初黒色で表示されているのに対して赤色で表示され、その赤色表示の文字が頭部から尾部に向かって移動して行くという表示が行われる。
他方、制御手段９からの前記信号を受けたＤＳＰ７は、文字データの信号に基づいて辞書データメモリ２５からその文字データに対応する音声を読み出し、バスを介してＤ／Ａ変換器１１に送るように機能する。
【００７１】
この時、文字データは、文字データ記録装置１によってファイルネームとして記録された元の文字群が『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』ではなく、スペースが挿入された『２００４年１２月１５日午前、天気は○晴れ、諏訪湖の○天竜川の○河口から○時計回りで○１５０メートルほど進んだ地点での録音。水辺で○群になって○集まっている○５０〜６０羽の○鴨の鳴き声、餌場の付近に○集まる○十数羽の○小白鳥の鳴き声、餌を求めて○やって来た○と思われる○雀の囀り』であるので、制御手段９はこの文字データの記録に対応させて、ドライバ２７及びＤＳＰ７に、当該文字データにおける文字が区切られて液晶表示手段２４に表示される及び音声が区切られてスピーカ１３から出力されるように制御を行う。
つまり、液晶表示手段２４の表示面では、ドライバ２７がスペースによって区切られて一纏まりになった各文字群が黒色の表示から赤色の表示に変化してその文字群を特定することにな。
【００７２】
他方、ＤＳＰ７は、制御手段９から『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』に対応する文字データの信号ではなく、『２００４年１２月１５日午前』、『天気は』、『晴れ』、『諏訪湖の』、『天竜川の』、『河口から』、『時計回りで』、『１５０メートルほど進んだ地点での録音』、『水辺で』、『群になって』、『集まっている』、『５０〜６０羽の』、『鴨の鳴き声』、『餌場の付近に』、『集まる』、『十数羽の』、『小白鳥の鳴き声』、『餌を求めて』、『やって来た』、『と思われる』、『雀の囀り』と区切られた複数の文字群に対応する文字データに係る信号を受けることになる。
よって、ＤＳＰ７は、制御手段９からの前記文字データに係る信号と制御手段に基づいて、一纏まりの文字群の『２００４年１２月１５日午前』に係る文字データの信号を受け取るとその信号を辞書データメモリ２５に送る。
【００７３】
辞書データメモリ２５は、『２００４年１２月１５日午前』に係る文字データの信号を受け取ると、このデータの信号に合致する音声を示すデータをＤＳＰ７に送り返す。
ここで、ＤＳＰ７は、文字群の『２００４年１２月１５日午前』に係る音声信号をバス１４に送る。
尚、ＤＳＰ７からの前記音声信号は、デジタル信号である。
バス１４は、文字群の『２００４年１２月１５日午前』に係る音声信号を受け取ると、Ｄ／Ａ変換器１１に送る。Ｄ／Ａ変換器１１は、バス１４からの前記音声信号を受け取ると、アナログ信号に変換して、アンプ１２に送る。
【００７４】
アンプ１２は、Ｄ／Ａ変換器１１からのアナログに変換された音声信号を所望のレベルに増幅して、スピーカ１３に送る。
スピーカ１３は、アンプ１２からの前記音声信号を受け取ると音声に変換して、「ニセンヨネンジュウニガツジュウゴニチゴゼン」と音声で出力する。
この時、液晶表示手段２４では、『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』のうち、『２００４年１２月１５日午前』だけが赤色で表示されており、他の文字は黒色で表示されている。
尚、液晶表示手段２４の表示面の地の色は、コントラストを考慮して白色若しくは薄いグレーである。
【００７５】
制御手段９は、続いて、『天気は』、『晴れ』、『諏訪湖の』、『天竜川の』、『河口から』、『時計回りで』、『１５０メートルほど進んだ地点での録音』、『水辺で』、『群になって』、『集まっている』、『５０〜６０羽の』、『鴨の鳴き声』、『餌場の付近に』、『集まる』、『十数羽の』、『小白鳥の鳴き声』、『餌を求めて』、『やって来た』、『と思われる』、『雀の囀り』と区切った文字表示及び音声の出力を行うように、ドライバ２７及びＤＳＰ７に制御信号を送る。
ここで、『２００４年１２月１５日午前』についてと同様に、スピーカ１３からは、「テンキハ」、「ハレ」、「スワコノ」、『テンリュウガワノ』、『カコウカラ』、『トケイマワリデ』、『ヒャクゴジュウメートルホドススンダチテンデノロクオン』、『ミズベデ』、『ムレニナッテ』、『アツマッテイル』、『ゴジュウカラロクジュウッパノ』、『カモノナキゴエ』、『エサバノフキンニ』、『アツマル』、『スウジュッパノ』、『コハクチョウノナキゴエ』、『エサヲモトメテ』、『ヤッテキタ』、『トオモワレル』、『スズメノサエズリ』と区切り、それぞれが一纏まりになった文字群の音声として出力される。
【００７６】
この音声の出力と同時に、液晶表示手段２４では、前記音声の出力に対応して、『天気は』、『晴れ』、『諏訪湖の』、『天竜川の』、『河口から』、『時計回りで』、『１５０メートルほど進んだ地点での録音』、『水辺で』、『群になって』、『集まっている』、『５０〜６０羽の』、『鴨の鳴き声』、『餌場の付近に』、『集まる』、『十数羽の』、『小白鳥の鳴き声』、『餌を求めて』、『やって来た』、『と思われる』、『雀の囀り』の表示が順番に黒色から赤色に変わる。
【００７７】
ここで、ユーザーは、スピーカ１３から当該ファイルネームの音声を聞いて、そのファイル（データ）の内容を知ることができる。
他方、ユーザーではなく、このファイルネームの出力音声を始めて聞く者であっても、その音声から当該ファイルの内容を伺い知ることが可能になっている。
又、この音声の出力の際に、液晶表示手段２４において音声出力されているファイルネームの部分が表示の色彩から判るので、出力される音声に同一や似たような文言が出て来ても、その文言がファイルネームのどの部分であるかによって、目的とするファイルネームであるか否かの判別を容易に行うことが可能になっている。
【００７８】
ユーザーは、スピーカー１３から出力されている音声が再生しようとしているファイルに係るものであることを知り、そのファイルを特定することが可能になる。
尚、文字データに基づいて対応する音声を出力させる際に、文字群に区切りのためのスペースを入れない場合では、『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』を再生すると、「ニセンゴネンジュウニガツジュウゴニチゴゼン、テンキハハレ、スワコノテンリュウガワノカコウカラトケイマワリデヒャクゴジュウメートルホドススンダチテンデノロクオン。ミズベデムレニナッテアツマッテイルゴジュウカラロクジュウハノカモノナキゴエ、エサバノフキンニアツマルジュウスウハノコハクチョウノナキゴエ、エサヲモトメテヤッテキタトオモワレルスズメノサエズリ。」と音声は出力される筈である。
出し、読点や句点に該当する点では、音声が一旦区切られて出力されることになる。
【００７９】
ここで、例えば、『天気は晴れ』を取り上げてみると、文字で表示すると「てんきははれ」となるが、最初の「は」は副助詞であって実際には「ワ」と音声が出力される。
この場合、『天気は』とスペースによって区切って一纏まりの文字群とすると、体言の後ろに付く『は』であってそこで区切られると、その『は』は副助詞になる場合が殆どであることから、対応する出力すべき音声は「ハ」であると簡単に判断を行うことが可能になる。
従って、辞書データメモリ２５は、文字群の頭部から尾部まで区切りがなく連続している場合の文字データを扱うより、簡便な構成のデータで済むことになる。
【００８０】
又、『諏訪湖の天竜川の』について、スペースを挿入せずにそのまま音声で出力すると「スワコノテンリョウガワノ」となるが、この音声を始めて聞く者にとって、「スワ」の音声を感嘆詞としての『すわ！』と間違って受け取り、結果的に『すわ、この天竜川の』と受け取って文字群全体の意味を誤解して受け取る場合が生じることが考えられる。
しかしながら、文字データ記録装置１によれば、『諏訪湖の』、『天竜川の』と意味が取り違えないようにスペースによって区切るようにして文字データを入力（記録）しているので、文字データ表示手段２によって「スワコノ」、「テンリュウガワノ」と音声出力されることになり、その出力する音声に例え強弱、抑揚、長短等が伴わない場合であっても、始めて聞く者にとって、斯かる区切られた音声から『諏訪湖の』、『天竜川の』と当該文字データを記録した者の意図に沿って意味を受け取って文意を組み立てることになる。
【００８１】
従って、文字データに基づく出力音声が本来意図とする意味に誤解のないような音声とするには、抑揚、強弱、長短等を考慮した音声の出力が必要であり、その分、合成音声の出力の構成が大掛かりになるが、文字データ表示装置２は簡便な構成で済んでいる。
つまり、文字データ表示装置２において、辞書データメモリ２５は、入力される文字データに対して、音声の出力に抑揚、強弱、長短等を伴わせるか否かの判断機能や、抑揚、強弱、長短等を必要と判断した場合にその文字データに付加すべき抑揚、強弱、長短等のデータを必要としておらず、全体構成、メモリ容量等が簡便になっている。
【００８２】
又、文字データに基づいて文字データ表示手段２が機能して音声を出力する際には、液晶表示手段２４の表示面にその出力されている音声に対応する文字群が黒色から赤色へと表示が変化する。
しかしながら、この色彩の変化に伴って、赤色に表示されている文字によってその文字の近傍の文字が陰になって表示されなかったり読み取り辛いといった問題が生じることはない。
ここで、ユーザーは、文字データ表示装置２のスピーカ１３からのファイルネームを示す音声、及び、その出力中の音声がファイルネーム全体にとってどの位置にあるかを液晶表示手段２４によって確認することができ、求めているファイル（データ）に係るファイルネームであることを知る。
【００８３】
ユーザーは、操作手段１０によってファイルネームについての文字データ表示手段２の出力を停止し、続いて、その特定したファイルの再生を記録・再生装置３で行わせる。
記録・再生装置３は、制御手段９が記録媒体１７から特定されたファイル（データ）をバッファメモリ８を介してＤＳＰ７に呼び出す制御を行う。
ここで、ＤＳＰ８は、記録媒体１７からのデータをデジタルの信号に再生して、バス１４を介し、Ｄ／Ａ変換器１１に送る。
【００８４】
Ｄ／Ａ変換器１１は、バス１４からのデジタルの信号をアナログの信号に変換して、アンプに送る。
アンプ１２は、Ｄ／Ａ変換器１１からのアナログ信号をユーザーが所望するレベルに増幅して、スピーカ１３に送る。
ここで、スピーカ１３は、アンプからのアナログの信号を音声に変えて出力する。
【００８５】
スピーカ１３からは、２００４年１２月１５日の午前中の諏訪湖の天竜川河口付近に集まっていた５０〜６０羽の鴨の『ガー、ガー、ガー』という折り重なった鳴き声が出力される。
続いて、小白鳥の幾分丸みのある『クァー、クァー、クァー』という鳴き声、更には、雀の『チュッ、チュッ、チュッ』という囀りが、スピーカ１３から出力される。
【００８６】
上述した実施の形態では、記録・再生装置３に組み込まれている文字データ記録装置１によって記録された文字データを、同じ記録・再生装置３に組み込まれた文字データ表示装置２によって再生して文字データを表示する構成であるが、別の記録・再生装置に組み込まれた文字データ表示装置によって再生して文字データを表示することは可能である。
つまり、記録媒体１７を共通して使用することが可能な場合では、いずれの装置であってもよい。
【００８７】
文字データ記録装置１及び文字データ表示２は、記録・再生装置３に組み込まれているが、それぞれ単独に構成されたものであってもよい。又、文字データ記録装置１は、音声や映像を記録する記録装置に、文字データ表示装置２は音声や映像を再生する再生装置にそれぞれ組み込まれる構成であってもよい。
尚、記録・再生装置３は音声を記録及び再生する構成であるが、映像、動画、音声と動画との組み合わせ等を記録・再生する構成であってもよい。
【００８８】
文字データ記録装置１及び文字データ表示２は、対象となる文字データは日本語の漢字仮名混じる文であるが、欧英文字からなる文字群（文）であってもよい。
この場合、欧英文字で表示されて構成される文は単語毎にスペースが挿入されるが、このスペースを区切りとしての記号とすることによって、文字データ表示装置２は各単語を間違いなく音声で出力させることが可能であり、欧英文の音声にとって大切な抑揚は損なわれるが、欧英文の単語はそれ毎に特有のアクセントが与えられているので、辞書データメモリ２５にアクセントを伴った音声をデータでストックさせることで、簡便にアクセントを伴った音声を出力させることが可能になる。
【００８９】
文字データ記録装置１では、文字データ入力手段２１からの文字データに係る信号は、制御手段９からＤＳＰ７とバッファメモリ８を介して記録媒体１７に記録する構成になっている。
他方、文字データに係る信号をＤＳＰ７から辞書データメモリ２５に送り、当該信号と辞書データメモリ２５のデータを対比して信号処理上扱い易い信号に変換し、この音声出力用の信号と文字表示用の信号をペアとして記録媒体１７に記録させる構成が挙げられる。
【００９０】
斯かる構成によって、文字データ表示装置２が音声を出力する際に、ファイルネームの文字データが音声出力用のデータに変換されているので、文字データ表示手段２の構成が簡便になり、又、信号処理も短時間で簡単に済ますことが可能になっている。
文字データ記録装置１は、文字データを入力する際に液晶表示手段２４を見て確認しながら文字データを記録するが、記録が終えた後に、不具合が生じたり、よりいっそう内容を盛り込みたい場合が表示装置２における液晶表示手段２４は表示面に、『２００４年１２月１５日午前、天気は晴れ、諏訪湖の天竜川の河口から時計回りで１５０メートルほど進んだ地点での録音。水辺で群になって集まっている５０〜６０羽の鴨の鳴き声、餌場の付近に集まる十数羽の小白鳥の鳴き声、餌を求めてやって来たと思われる雀の囀り』と表示しているが、文字データの文字数つまり前記表示面に表示すべき文字数が多過ぎて、結果的に、各文字が小さく表示されて読み取り難い場合には、文字或いは人纏まりの文字群の代わりとなるダミーの図形、例えば、○印、△印、☆印、□印及び▽印等を用いて表示する構成であってもよい。
【００９１】
文字データ表示装置２において、辞書データメモリ２５によって指定されて読み出される合成の音声は、具体的に、録音された単音を繋いで出力するものが挙げられる。
斯かる構成によって、単語、文節等の候補になると考えられる主立った音声を記録して出力させる方法、その場で音声を作って出力する方法などに比して、装置の構成を簡便にすることが可能になっている。
【００９２】
文字データ表示装置２では、実施の形態の作用の例では、上述したように、文字データは日本語に係るものであるが、英語、中国語、スペイン語等であってもよく、その際、使用する言語に合わせて、辞書データメモリ２５に必要とする外国語言語を記憶させる方法の外に、複数種類の外国語言語にそれぞれ対応する辞書データメモリ２５を用意して、取り替え交換によって適宜使い分ける構成であってもよい。
【図面の簡単な説明】
【００９３】
【図１】この発明の最良の実施の一形態において、記録媒体を接続している記録・再生装置に組み込まれている状態の構成を説明するブロック図である。
【図２】図１に示す形態の外観を示す斜視図である。
【符号の説明】
【００９４】
１          ：文字データ記録装置
２          ：文字データ表示装置
３          ：記録・再生装置
７          ：デジタル信号プロセッサ（ＤＳＰ、データ記録手段で且つデータ再生手段）
９          ：制御手段
１０        ：操作手段
１７        ：記録媒体
２０        ：装置本体
２１        ：文字データ入力手段
２２        ：文字入力キー群
２３        ：確定釦群
２４        ：液晶表示手段（表示手段）
２５        ：辞書データメモリ
２６        ：メモリ手段
２７        ：ドライバ
【図１】
2007140671.tif 000003
【図２】
2007140671.tif 000004